(57)【要約】【目的】子テレビにおいてチューナを備えることなしに、親テレビと子テレビの両方で放送を視聴することができ、且つ、親テレビでテレビＯＦＦがなされたときでも子テレビでの視聴を継続して行うことができる放送受信システムを提供する。【構成】親ＴＶがテレビＯＮのとき、電源部Ａと電源部Ｂと電源部Ｃが動作する。親ＴＶがテレビＯＦＦ（スタンバイ状態）のとき、子ＴＶがテレビＯＮであれば電源部Ａと電源部Ｂとが動作し、子ＴＶがテレビＯＦＦであれば電源部Ａだけが動作する。従って、親ＴＶがテレビＯＦＦされたとしても、子ＴＶがテレビＯＮであれば、放送受信処理及び子ＴＶへのワイヤレス映像送信が実行される。親ＴＶがテレビＯＦＦされ、且つ子ＴＶもテレビＯＦＦであれば、放送受信処理のための回路への電力供給は停止され、省電力化が図れる。【選択図】                図１
2004356938.tif 000002
【特許請求の範囲】
【請求項１】
放送波を受信する受信部と、受信した放送波に基づいて少なくとも映像信号を生成する信号処理部と、映像信号によって映像表示を行うディスプレイと、受信した放送波に基づいた少なくとも映像の送信電波を生成する手段と、を備えた親テレビ装置と、
前記送信電波を受信する受信部と、受信した送信電波に基づいて少なくとも映像信号を生成する信号処理部と、映像信号によって映像表示を行うディスプレイと、を備えた子テレビ装置と、
から成る放送受信システムであって、
前記子テレビ装置はそのテレビＯＮ状態を示す情報を無線送信する手段を備える一方、前記親テレビ装置は前記テレビＯＮ状態を示す情報を無線受信する手段を備えており、
且つ、前記親テレビ装置はテレビＯＦＦされたとき、自ディスプレイへの映像表示は停止する一方で、前記子テレビ装置のテレビＯＮ状態を示す情報を受信しているときには、放送受信処理と送信電波生成処理と子テレビ情報の無線受信処理とを継続するように構成されたことを特徴とする放送受信システム。
【請求項２】
請求項１に記載の放送受信システムにおいて、前記親テレビ装置はテレビＯＦＦされたときで前記子テレビ装置のテレビＯＮ状態を示す情報を受信していないときには、放送受信処理と送信電波生成処理は停止し、子テレビ情報の無線受信処理は継続するように構成されたことを特徴とする放送受信システム。
【請求項３】
請求項１又は請求項２に記載の放送受信システムにおいて、前記親テレビ装置は複数の電源部を有し、前記各処理にかかわる電気消費要素への電力供給を担当する電源部は処理の停止時に当該電気消費要素への電力供給を停止するように構成されたことを特徴とする放送受信システム。
【請求項４】
請求項１乃至請求項３のいずれかに記載の放送受信システムにおいて、前記親テレビ装置は、複数のチューナと、各チューナからの出力信号又は当該出力信号に基づいて生成された信号を入力する複数の入力端子を備えると共に任意の出力端子に任意の信号を出力することができる選択手段と、を備えていることを特徴とする放送受信システム。
【発明の詳細な説明】
【０００１】
【産業上の利用分野】
この発明は、放送波を受信して映像表示を行うと共に受信映像の送信電波を出力する親テレビと当該親テレビからの送信電波を受信して映像表示を行う子テレビとから成る放送受信システムに関する。
【０００２】
【従来の技術】
従来より、放送受信機能を備えた親機と、放送受信機能を備えずに前記親機から供給される映像信号をディスプレイに表示する子機とから成る親子テレビジョン装置が知られている（特許文献１参照）。
【０００３】
【特許文献１】
特開平８−７９７２０号公報
【０００４】
【発明が解決しようとする課題】
しかしながら、上記従来の親子テレビジョン装置は、親機はディスプレイを備えておらず、親機では放送映像を視聴することができない。また、従来より、複数のチューナを備えると共にピクチャインピクチャ技術によって１台のテレビジョンセットで二つの番組を視聴することが可能であるが、これでは家屋内の２カ所でテレビ視聴を行うことはできない。一方、１台のテレビジョンセットと別モニタとをケーブル接続することで家屋内の２カ所でテレビ視聴を行うことが可能になるが、ケーブル接続であるため、別モニタをテレビジョンセットから遠く離れた位置に設置することはできない。
【０００５】
この発明は、上記の事情に鑑み、子テレビにおいてチューナを備えることなしに、親テレビと子テレビの両方で放送を視聴することができ、且つ、親テレビでテレビＯＦＦがなされたときでも子テレビでの視聴を継続して行うことができる放送受信システムを提供することを目的とする。
【０００６】
【課題を解決するための手段】
この発明の放送受信システムは、上記課題を解決するために、放送波を受信する受信部と、受信した放送波に基づいて少なくとも映像信号を生成する信号処理部と、映像信号によって映像表示を行うディスプレイと、受信した放送波に基づいた少なくとも映像の送信電波を生成する手段と、を備えた親テレビ装置と、前記送信電波を受信する受信部と、受信した送信電波に基づいて少なくとも映像信号を生成する信号処理部と、映像信号によって映像表示を行うディスプレイと、を備えた子テレビ装置と、から成る放送受信システムであって、前記子テレビ装置はそのテレビＯＮ状態を示す情報を無線送信する手段を備える一方、前記親テレビ装置は前記テレビＯＮ状態を示す情報を無線受信する手段を備えており、且つ、前記親テレビ装置はテレビＯＦＦされたとき、自ディスプレイへの映像表示は停止する一方で、前記子テレビ装置のテレビＯＮ状態を示す情報を受信しているときには、放送受信処理と送信電波生成処理と子テレビ情報の無線受信処理とを継続するように構成されたことを特徴とする。
【０００７】
上記の構成であれば、子テレビにおいてチューナを備えることなしに、親テレビと子テレビの両方で放送を視聴することができる。更に、親テレビでテレビＯＦＦがなされたときでも子テレビでの視聴を継続して行うことができる。
【０００８】
前記親テレビ装置はテレビＯＦＦされたときで前記子テレビ装置のテレビＯＮ状態を示す情報を受信していないときには、放送受信処理と送信電波生成処理は停止し、子テレビ情報の無線受信処理は継続するように構成されているのがよい。これによれば、子テレビにおいてテレビＯＦＦされれると親テレビにおいて放送受信処理及び送信電波生成処理は停止されるが、子テレビ情報の無線受信処理を継続するので、子テレビにおいて再びテレビＯＮされたときには、このテレビＯＮを親テレビは判断することができる。
【０００９】
前記親テレビ装置は複数の電源部を有し、前記各処理にかかわる電気消費要素への電力供給を担当する電源部は処理の停止時に当該電気消費要素への電力供給を停止するように構成されているのがよい。これにより、親テレビにおける無駄な電力消費を抑制することができる。
【００１０】
前記親テレビ装置は、複数のチューナと、各チューナからの出力信号又は当該出力信号に基づいて生成された信号を入力する複数の入力端子を備えると共に任意の出力端子に任意の信号を出力することができる選択手段と、を備えているのがよい。これによれば、親テレビと子テレビとで別々の番組を同時に視聴することが可能となる。
【００１１】
【発明の実施の形態】
以下、この発明の実施形態の放送受信システムを図１及び図２に基づいて説明する。図１は親テレビ装置（以下、親ＴＶという）の構成を示したブロック図であり、図２は子テレビ装置（以下、子ＴＶという）の構成を示したブロック図である。
【００１２】
図１において、衛星アンテナ１Ａは衛星放送波（ＢＳ／ＣＳ）を受信し、地上波アンテナ１Ｂは地上放送波を受信する。これらアンテナ１Ａ・１Ｂは受信した信号をチューナ２Ａ・２Ｂ・２Ｃに与える。
【００１３】
アナログ地上波チューナ２Ｃは、アンテナ１ＢからのＲＦ（高周波信号）を選局し中間周波（ＩＦ）に変換する。このチューナ２Ａは、受信ＲＦ信号を増幅する初段増幅器、外部からの制御電圧によってゲインを可変とするＡＧＣアンプ、電圧制御発振器で発生するローカル周波数と受信ＲＦ信号との差周波数であるＩＦ信号を生成するミキサ、制御部３から与えられる選局データにより電圧制御発振器を所定の一定周波数出力状態に制御するＰＬＬ回路、及び検波回路等を備えてなる。検波回路は中間周波数の映像信号を検波してＮＴＳＣ信号を取り出すと共に中間周波数の音声信号を検波する。
【００１４】
上記ＮＴＳＣ信号は、Ａ／Ｄ変換器４Ａによってディジタル信号化されてＮＴＳＣビデオデコーダ５に供給される。また、音声信号は、Ａ／Ｄ変換器４Ｂによってディジタル信号化される。ＮＴＳＣビデオデコーダ５は、ディジタルの輝度信号Ｙ及び色信号Ｃｂ，Ｃｒを生成する。ＭＰＥＧビデオエンコーダ６Ａは輝度信号Ｙ及び色信号Ｃｂ，Ｃｒを入力してＭＰＥＧ（Ｍｏｖｉｎｇ  Ｐｉｃｔｕｒｅ  Ｅｘｐｅｒｔｓ  Ｇｒｏｕｐ）のビデオストリームを生成する。また、ＭＰＥＧオーディオエンコーダ６Ｂは、ディジタル音声信号を入力してＭＰＥＧのオーディオストリームを生成する。マルチプレクサ７はビデオストリームとオーディオストリームとを入力してトランスポートストリームを生成する。
【００１５】
ディジタル地上波チューナ２Ｂは、上述したアナログ地上波チューナ２Ｃと同様の周波数選択機能を備えると共に、復調回路、逆インタリーブ回路、誤り訂正回路などを備え、選択したディジタル変調信号を復調してトランスポートストリームを出力する。
【００１６】
ディジタルＢＳ／ＣＳチューナ２Ａは、ディジタル地上波チューナ２Ｂと同様に周波数選択機能を備えると共に、復調回路、逆インタリーブ回路、誤り訂正回路などを備え、選択したディジタル変調信号を復調してトランスポートストリームを出力する。
【００１７】
マトリクススイッチ８は、前記マルチプレクサ７から出力されるトランスポートストリーム及びチューナ２Ａ・２Ｂから出力されるトランスポートストリームを入力し、親ＴＶ自身の選局放送となる一つのトランスポートストリームを選択してデマルチプレクサ（ＤＥＭＵＸ）９に供給する処理を行う。また、子ＴＶのための一つのトランスポートストリームを選択して通信制御部１６に供給する処理を行う。マトリクススイッチ８は制御部３によって制御される。
【００１８】
デマルチプレクサ９は、マトリクススイッチ８から供給されたトランスポートストリームを、ＭＰＥＧのビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。デマルチプレクサ３は、ビデオストリームをＭＰＥＧビデオデコーダ１０Ａに供給し、オーディオストリームをＭＰＥＧオーディオデコーダ１０Ｂに供給し、ＰＳＩ／ＳＩ等を制御部３に供給する。なお、ディジタル放送におけるトランスポートストリームには複数のチャンネルが多重化されており、このなかから任意のチャンネルを選択するための処理は、前記ＰＳＩ／ＳＩから任意のチャンネルがトランスポートストリーム中でどのパケットＩＤで多重化されているかといったデータを取り出すことで可能となる。また、トランスポートストリームの選定もＰＳＩ／ＳＩの情報に基づいて行うことができる。
【００１９】
ＭＰＥＧビデオデコーダ１０Ａは、入力された可変長符号を復号して量子化係数や動きベクトルを求め、逆ＤＣＴ変換や動きベクトルに基づく動き補償制御などを行う。ＭＰＥＧビデオデコーダ１０Ａの出力はマトリクス１１ＢによってディジタルのＲＧＢデータに変換される。なお、前述のＡ／Ｄ変換器４Ａの出力（アナログ地上波チューナ２Ｃからの信号）はマトリクス１１ＡによってディジタルのＲＧＢデータに変換され、両ＲＧＢデータは切換スイッチ１２Ａによって一方のみが選択される。切換スイッチ１２Ａは制御部３によって制御される。選択されたＲＧＢデータはＤ／Ａ変換器１３ＡによってアナログのＲＧＢ信号とされてディスプレイ１４に供給される。
【００２０】
ＭＰＥＧオーディオデコーダ１０Ｂは、入力された符号化信号を復号して音声データを生成する。デコードにより生成された音声データはＤ／Ａ変換器１３Ｂによって音声信号に変換される。Ｄ／Ａ変換器１３Ｂを経て生成された音声信号及びアナログ地上波チューナ２Ｃからの音声信号は切換スイッチ１２Ｂによって一方のみが選択される。切換スイッチ１２Ｂは制御部３によって制御される。選択された音声信号はスピーカ１５に供給される。なお、親ＴＶにおいてアナログ地上波を視聴するときには、アナログ地上波チューナ２Ｃからの音声信号が切換スイッチ１２Ｂによって選択され、また、Ａ／Ｄ変換器４Ａ及びマトリクス１１Ａを経た映像データが切換スイッチ１２Ａによって選択される。
【００２１】
通信制御部１６、無線部１７、及びアンテナ１８は、子ＴＶへのトランスポートストリーム送信及び子ＴＶとの間での通信を行うための構成要素であり、誤り訂正符号付加回路や変調回路などを備えて成る。誤り訂正符号付加回路はパリティチェック符号をトランスポートストリームパケットに付加する。変調回路はディジタル変調処理によってトランスポートストリームパケットを所定ビットレートで送信波に載せる。子ＴＶとの間での通信の内容（情報）としては、子ＴＶからの子ＴＶＯＮ／ＯＦＦ情報やチャンネル選択情報などがある。なお、親ＴＶと子ＴＶとが無線ＬＡＮにより接続される構成としてもよい。
【００２２】
リモコン送信機２０は、各種のキーを備えて親ＴＶに各種指令を送出すものであり、前記キーを操作すると、そのキーに対応した指令を意味する信号光（リモコン信号）が図示しない発光部から送出される。図示しないリモコン受光器は、前記信号光を受光し、これを電気信号に変換して制御部３に与える。操作キー２１は親ＴＶ筐体部に設けられているものであり、ユーザによるキー操作情報を制御部３に与える。モデム２２は、例えば有料放送の課金情報、双方向データサービスにおけるデータの送信を行なう際のダイヤルアップ接続において制御部３の制御の下で動作する。
【００２３】
制御部３は、当該親ＴＶにおける各種制御を実行するが、特にこの発明にかかる処理として電力供給制御を行う。当該親ＴＶには電源部Ａと電源部Ｂと電源部Ｃとが装備されている。電源部Ａは、制御部３、モデム２２、通信制御部１６、及び無線部１７に電力を供給する。電源部Ｂは、チューナ２Ａ・２Ｂ・２Ｃ、及びストリーム生成・選択系（エンコーダ６Ａ・６Ｂやマトリクススイッチ８等）に電力を供給する。たとえ親ＴＶにおいてテレビ視聴がなされていなくても（スタンバイ状態）、子ＴＶにおいてテレビ視聴（テレビＯＮ）されているときには、電源部Ｂによる電力供給が行われる。電源部Ｃは、映像・音声生成系に電力を供給する。当該親ＴＶでのテレビ視聴時には、電源部Ｃによる電力供給が行われる。
【００２４】
制御部３は、電源スイッチ２３及び電源スイッチ２４を制御する。電源スイッチ２４のＯＦＦ制御が実行されると、電源部Ａ及び電源部Ｂから電力供給を受ける回路のみの動作状態が形成される。また、電源スイッチ２３及び電源スイッチ２４のＯＦＦ制御が実行されると、電源Ａから電力供給を受ける回路のみのが動作することになる。制御部３は、当該親ＴＶに対するテレビＯＮ操作がなされたときには、電源スイッチ２３及び電源スイッチ２４をＯＮする。制御部３は、当該親ＴＶに対するテレビＯＦＦ操作がなされたときには、電源スイッチ２４をＯＦＦすると共に子ＴＶのテレビＯＮ／ＯＦＦ状態を判断する。この判断は制御部３における通信判定部３ａによって行う。通信判定部３ａは通信制御部１６から子ＴＶのテレビＯＮを示す信号を受け取っているときには、子ＴＶがテレビＯＮであると判定する。子ＴＶのテレビＯＮを示す信号は、子ＴＶに対するテレビＯＮ操作がなされたときに子ＴＶから送信される。なお、子ＴＶがそのＯＮ状態で定期的にＯＮ状態を示す信号を送信することとし、親ＴＶは一定期間以上前記ＯＮ状態を示す信号を受信できなかったときには、子ＴＶがテレビＯＦＦであると判定するようになっていてもよい。制御部３は、子ＴＶがテレビＯＮであると判断したときには電源スイッチ２３のＯＮ状態を維持する。一方、子ＴＶがテレビＯＦＦであると判断したときには電源スイッチ２３をＯＦＦする。電源スイッチ２３をＯＦＦしても、電源部Ａによる電力供給は維持される。電源スイッチ２３のＯＦＦ後に通信判定部３ａにおいて子ＴＶがテレビＯＮされたと判定されると、制御部３によって再び電源スイッチ２３はＯＮされることになる。
【００２５】
上記内容を整理すると、以下のごとくなる。
▲１▼親ＴＶがテレビＯＮのとき、電源部Ａと電源部Ｂと電源部Ｃが動作する。
▲２▼親ＴＶがテレビＯＦＦ（スタンバイ状態）のとき、
１）子ＴＶがテレビＯＮであれば電源部Ａと電源部Ｂとが動作する。
２）子ＴＶがテレビＯＦＦであれば電源部Ａだけが動作する。
【００２６】
次に、図２を参照して子ＴＶについて説明していく。アンテナ３１、無線部３２、及び通信制御部３３によって親ＴＶからディジタル変調されて送信されてきたトランスポートストリームが受信される。また、制御部４０から出力された送信用情報（子ＴＶにおけるテレビＯＮ／ＯＦＦ情報やチャンネル選択情報等）は、通信制御部３３、無線部３２、及びアンテナ３１を経て送信される。
【００２７】
デマルチプレクサ（ＤＥＭＵＸ）３４は、供給されたトランスポートストリームを、ＭＰＥＧのビデオストリーム及びオーディオストリーム等に分離する。デマルチプレクサ３４は、ビデオストリームをＭＰＥＧビデオデコーダ３５Ａに供給し、オーディオストリームをＭＰＥＧオーディオデコーダ３５Ｂに供給する。ＭＰＥＧビデオデコーダ３５Ａは、入力された可変長符号を復号して量子化係数や動きベクトルを求め、逆ＤＣＴ変換や動きベクトルに基づく動き補償制御などを行う。ＭＰＥＧビデオデコーダ３５Ａの出力はマトリクス３６によってディジタルのＲＧＢデータに変換される。ＲＧＢデータはＤ／Ａ変換器３７ＡによってアナログのＲＧＢ信号とされてディスプレイ３８に供給される。ＭＰＥＧオーディオデコーダ３５Ｂは、入力された符号化信号を復号して音声データを生成する。デコードにより生成された音声データはＤ／Ａ変換器３７Ｂによって音声信号に変換される。音声信号はスピーカ３９に供給される。
【００２８】
制御部４０はリモコン送信機４１や操作キー４２からの信号に基づいて指令を判断して各種の処理を実行する。子ＴＶは電池４３によって駆動されるが、商用電源を利用して駆動されるようになっていてもよい。
【００２９】
このような親ＴＶと子ＴＶとからなる放送受信装置であれば、子ＴＶにおいてチューナを備えることなしに、親ＴＶと子ＴＶの両方で放送を視聴することができる。親ＴＶにおいては、複数のチューナを備え、任意のチューナ出力をマトリクススイッチ８により選択するので、子ＴＶでは親ＴＶの受信番組以外の番組を視聴することも可能となる。そして、前述したごとく親ＴＶにおいては各回路への電力供給制御がなされるので、親ＴＶがテレビＯＦＦされても（スタンバイ状態のときでも）、子ＴＶでのテレビ視聴が可能となる。また、親ＴＶがテレビＯＦＦで子ＴＶでもテレビＯＦＦであれば、電源部Ｂによる電力供給は停止されるので、無駄な電力消費は回避される。一方、かかる状態でも、電源部Ａによる制御部３や通信部の動作は維持されるので、子ＴＶがテレビＯＦＦされた後に再びテレビＯＮされた場合、そのことを判断し、電源部Ｂによる電力供給を再開することが可能になる。
【００３０】
【発明の効果】
以上説明したように、この発明によれば、子テレビにおいてチューナを備えることなしに、親テレビと子テレビの両方で放送を視聴することができ、且つ、親テレビでテレビＯＦＦがなされたときでも子テレビでの視聴を継続して行うことができる。また、かかる制御において、電源部による電力供給の制御がなされることで親テレビにおける無駄な電力消費を抑制することができる。
【図面の簡単な説明】
【図１】この発明の実施形態の放送受信システムにおける親テレビの構成を示したブロック図である。
【図２】この発明の実施形態の放送受信システムにおける子テレビの構成を示したブロック図である。
【符号の説明】
１Ａ，１Ｂ    アンテナ
２Ａ，２Ｂ，２Ｃ    チューナ
３    制御部
３ａ  通信判定部
８    マトリクススイッチ
９    デマルチプレクサ（ＤＥＭＵＸ）
１４  ディスプレイ
１５  スピーカ
１６  通信制御部
１７  無線部
【図１】
2004356938.tif 000003
【図２】
2004356938.tif 000004